(57)【特許請求の範囲】
【請求項１】
走査線側が、複数のブロックで分割されている表示装置において、
隣接するブロックの境界に沿う隣り合う各配線は、共に直線で且つ幅が同じであり、
該隣り合う配線のうちの長さの短い方の配線については、固定の電位に接続された電極パターンが、間に絶縁膜を介して形成されており、信号の波形のなまりの程度が長さが長い方配線を伝送される信号の波形のなまり程度と同じになるように、所定の静電容量が配線負荷として付加してある構成としたことを特徴とした表示装置。
【請求項２】
走査線側が、複数のＴＡＢブロックで分割されている液晶表示装置において、
隣接するＴＡＢブロックの境界に沿う隣り合う各配線は、共に直線で且つ幅が同じであり、
該隣り合う配線のうちの長さの短い方の配線については、固定の電位に接続された電極パターンが、間に絶縁膜を介して形成されており、信号の波形のなまりの程度が長さが長い方配線を伝送される信号の波形のなまり程度と同じになるように、所定の静電容量が配線負荷として付加してある構成としたことを特徴とした液晶表示装置。
【請求項３】
走査線側が、複数のＴＡＢブロックで分割されている液晶表示装置において、
隣接するＴＡＢブロックのうち一方のＴＡＢブロックの他のＴＡＢブロック寄りの複数の配線は、共に直線で且つ幅が同じであり、長さが少しずつ異なっており、共に、他のＴＡＢブロックの複数の配線のうち前記一方のＴＡＢブロック寄りの配線よりも短い長さであり、
前記一方のＴＡＢブロックの他のＴＡＢブロック寄りの複数の配線については、固定の電位に接続されている三角形状の電極パターンが、間に絶縁膜を介して形成されており、各配線についての信号の波形のなまりの程度が、前記他のＴＡＢブロックの複数の配線のうち前記一方のＴＡＢブロック寄りの配線を伝送される信号の波形のなまり程度と同じになるように、所定の静電容量が配線負荷として付加してある構成としたことを特徴とした液晶表示装置。
【請求項４】
上記電極パターンは、該液晶表示装置を構成する要素を形成するのと同時に形成されたものである構成としたことを特徴とした請求項２又は３記載の液晶表示装置。
【発明の詳細な説明】
【０００１】
【発明の属する技術分野】
本発明は表示装置に係り、特に、走査線側側が複数のＴＡＢブロックで分割されたアクティブマトリクス型の液晶表示装置に関する。
液晶表示装置は、矩形の画素領域とこの周辺に沿うフレーム部とよりなる。このフレーム部に複数のＴＡＢが並んで接続してある。各ＴＡＢには駆動用ＩＣが実装してある。
【０００２】
液晶表示装置は、画素領域の大きさは変えずに、フレーム部を狭くして、外形のサイズを小さくする小型化が進んでいる。フレーム部を狭くすると、ＴＡＢが接続される端子部と画素領域の間のゲート引出し線（配線）の長さ等についての制限がきつくなって、隣接するゲート引出し線間で短絡が起こり易くなる。よって、液晶表示装置を小型化する上では、表示された画像の品質に影響が出にくくする工夫が必要となる。
【０００３】
【従来の技術】
図１は従来のアクティブマトリクス型の液晶表示装置１０を概略的に示す。図２は図１中、円１００で囲んだ部分のゲート引出し線を拡大して示す。
液晶表示装置１０は、大略、下側ガラス板１１と、これに重なっている上側ガラス板１２と、左端（Ｘ２方向端）に沿って並んでいる第１乃至第４の走査用駆動ＩＣチップ１３−１〜１３−４と、上端（Ｙ１方向端）に沿って並んでいる複数の信号用駆動ＩＣチップ１４とよりなる。第１乃至第４の走査用駆動ＩＣチップ１３−１〜１３−４は夫々第１乃至第４のＴＡＢ１５−１〜１５−４の中央に実装してある。信号用駆動ＩＣチップ１４はＴＡＢ１６の中央に実装してある。下側ガラス板１１上には、走査線２０と信号線２１とが交差して形成してある。走査線２０はＸ１，Ｘ２方向に延在しており、Ｙ１、Ｙ２方向に並んでいる。信号線２１はＹ１、Ｙ２方向に延在しており、Ｘ１、Ｘ２方向に並んでいる。隣合う走査線２０と隣合う信号線２１とで囲まれた部分が一つの画素２２を形成し、各画素２２毎にトランジスタ２３が作り込まれている。２５は画素領域であり、多数の画素２２がマトリクス状に並んでいる。
【０００４】
１１ａはフレーム部であり、下側ガラス板１１のうち画素領域２５より外側の部分であり、図１中、液晶表示装置１０の左端（Ｘ２方向端である走査側）に沿う走査線側フレーム部１１ａ１と、液晶表示装置１０の上端（Ｙ１方向端である信号側）に沿う信号線側フレーム部１１ａ２とよりなり、逆Ｌ字形状を有している。
【０００５】
走査線側フレーム部１１ａ１について見ると、左端側にＴＡＢ１５−１〜１５−４の一端側が実装されるＴＡＢ実装領域３０を有し、ＴＡＢ実装領域３０と画素領域２５との間にゲート引出し線形成領域３１を有する。ＴＡＢ実装領域３０には、第１乃至第４の端子群部３２−１，３２−２（他は図示せず）が間隔をおいて形成してあり、ゲート引出し線形成領域３１には、各端子群部３２−１，３２−２（他は図示せず）の各端子３３とこれに対応する走査線２０とを結ぶゲート引出し線３４が形成してある。
【０００６】
走査線側フレーム部１１ａ１のＴＡＢ実装領域３０には、各ＴＡＢ１５−１〜１５−４の一端側が各端子群部３２−１〜３２−４に接続されて実装してある。各ＴＡＢ１５の他端側は、ゲートドライバ用プリント基板３５に接続されている。
信号線側フレーム部１１ａ２についてみると、走査線側フレーム部１１ａ１と同じく、端子群部を有し、且つ、端子群部と画素領域２５との間に各端子とこれと対応する信号線とをむすぶゲート引出し線４０が形成してある。ＴＡＢ１６の一端側が信号線側フレーム部１１ａ２の端子群部と接続してあり、他端側がプリント基板４１に接続されている。
【０００７】
液晶表示装置１０は、走査線２０の並び方向（Ｙ１，Ｙ２方向）が第１乃至第４の４つのＴＡＢブロック５０−１〜５０−４に分割されており、画素領域２５は４つの走査区画部５１−１〜５１−４に分割されている。走査用駆動ＩＣチップ１３と信号用駆動ＩＣチップ１４とが動作することによって、液晶表示装置１０は、各走査区画部５１−１〜５１−４毎に動作して、画素領域２５に画像が表示される。
【０００８】
図２を参照するに、２０−ｎは、走査区画部５１−１のうち走査区画部５１−２との境界に沿う走査線である。２０−（ｎ＋１）は、走査区画部５１−２のうち走査区画部５１−１との境界に沿う走査線である。３４−ｎは、端子群部３２−１のうち端子群部３２−２側の端の端子３３−ｎと走査線２０−ｎとを結ぶゲート引出し線である。３４−（ｎ＋１）は、端子群部３２−２のうち端子群部３２−１側の端の端子３３−（ｎ＋１）と走査線２０−（ｎ＋１）とを結ぶゲート引出し線である。
【０００９】
ここで、走査線側フレーム部１１ａ１のゲート引出し線３４についてみる。各ゲート引出し線３４に関しては、それ自身が有する電気抵抗と、ゲート引出し線３４とこれが対向する固定電位のパターンとの間に形成される電気容量とを有する。一つのゲート引出し線の電気抵抗及び電気容量により決まる時定数と、これに隣合うゲート引出し線の電気抵抗及び電気容量により決まる時定数との差が小さいことが望ましい。隣合うゲート引出し線３４の時定数の差が大きいと、一つのゲート引出し線を伝送されるパルス信号の波形のなまり具合とこれに隣合うゲート引出し線のゲート引出し線を伝送されるパルスの波形のなまり具合とに差が出て、表示画像上において、この箇所で輝度に差が現れてしまう虞れがあるからである。
【００１０】
ゲート引出し線３４−ｎについては、中間の部位で屈曲されたＶ字形状として、その長さＬｎがゲート引出し線３４−（ｎ＋１）の長さＬｎ＋１と等しくなるようにしてある。よって、ゲート引出し線３４−ｎの電気抵抗及び電気容量（後述する配線負荷）は、ゲート引出し線３４−（ｎ＋１）の電気抵抗及び電気容量と略等しくなっている。これによって、表示画像については、走査区画部５０−１と走査区画部５０−２との境界の部分に輝度差が現れないようにしてある。
【００１１】
【発明が解決しようとする課題】
従来の液晶表示装置１０にあっては、走査線側フレーム部１１ａ１の幅Ｗ１が８〜９ｍｍ程度あり、ゲート引出し線形成領域３１の幅Ｗ２も４〜５ｍｍ程度もあり、ゲート引出し線３４−ｎを中間の部位で屈曲させたＶ字形状とすることには余裕があった。
【００１２】
現在、液晶表示装置にあっては、画素領域のサイズは変えずに、フレーム部を狭くして、外形のサイズを小さくする小型化が進んでいる。図３は、走査線側フレーム部１１Ａａ１がその幅が幅Ｗ１より狭い幅Ｗ１０とし、ゲート引出し線形成領域３１Ａがその幅が幅Ｗ２より狭い幅Ｗ１１とした場合を示す。ゲート引出し線形成領域３１Ａの幅Ｗ１１が２ｍｍと狭くなると、Ｖ字形状とされたゲート引出し線３４Ａ−ｎの屈曲角αが１８０度に近くなって、屈曲部６０が尖った形状となる。ゲート引出し線３４Ａは一般にはエッチングによって形成される。屈曲部６０が尖った形状となると、屈曲部６０が正常に形成されない場合が起こり、その結果、液晶表示装置の歩留り、ＴＦＴ側基板の歩留りが低下してしまうという問題があった。
【００１３】
そこで、本発明は上記課題を解決した表示装置を提供することを目的とする。
【００１４】
【課題を解決するための手段】
請求項１の発明は、走査線側が、複数のブロックで分割されている表示装置において、
隣接するブロックの境界に沿う隣り合う各配線は、共に直線で且つ幅が同じであり、
該隣り合う配線のうちの長さの短い方の配線については、固定の電位に接続された電極パターンが、間に絶縁膜を介して形成されており、信号の波形のなまりの程度が長さが長い方配線を伝送される信号の波形のなまり程度と同じになるように、所定の静電容量が配線負荷として付加してある構成としたものである。
【００１５】
隣り合う配線のうちの一方の配線について配線負荷を付加した構成としたことによって、隣り合う各配線上の信号の波形のなまりが同じになり、画素領域の隣り合うブロックの境界の部分に輝度むらが現れないようになる。
また、隣り合う配線のうちの一方の配線について配線負荷を付加したことによって、各ブロックの配線が、隣接するブロックの境界に沿う隣り合う配線間で配線負荷に関して断継ぎが存在しても問題でなくなる。各ブロックの配線には断継ぎを無くするという制約が無くなることによって、配線は、断継ぎを無くするための屈曲したパターン、即ち、エッチングがしにくい尖った形状の屈曲部等が存在しない直線的なパターンでよくなり、よって、配線は歩留り良く製造されるようになる。各ブロックの配線に断継ぎを無くするという制約が無くなることは、画素領域より外側に張り出たフレーム部を狭くした小型の構成のものにおいて特に効果があるようになる。また、各ブロック毎に存在するＴＡＢ等の位置についての制約が緩和され、表示装置は設計が容易となる。
【００１６】
該隣り合う配線のうちの長さの短い方の配線については、固定の電位に接続された電極パターンが、間に絶縁膜を介して形成されており、信号の波形のなまりの程度が長さが長い方配線を伝送される信号の波形のなまり程度と同じになるように、所定の静電容量が配線負荷として付加してある構成であり、静電容量が配線自体を利用して形成したものであるため、静電容量が簡単に形成される。
請求項２の発明は、走査線側が、複数のＴＡＢブロックで分割されている液晶表示装置において、隣接するＴＡＢブロックの境界に沿う隣り合う各配線は、共に直線で且つ幅が同じであり、該隣り合う配線のうちの長さの短い方の配線については、固定の電位に接続された電極パターンが、間に絶縁膜を介して形成されており、信号の波形のなまりの程度が長さが長い方配線を伝送される信号の波形のなまり程度と同じになるように、所定の静電容量が配線負荷として付加してある構成としたものである。
【００１７】
隣り合う配線のうちの一方の配線について静電容量を付加した構成としたことによって、隣り合う各配線上の信号の波形のなまりが同じになり、画素領域の隣り合うブロックの境界の部分に輝度むらが現れないようになる。
また、隣り合う配線のうちの一方の配線について配線負荷を付加したことによって、各ＴＡＢブロックの配線が、隣接するＴＡＢブロックの境界に沿う隣り合う配線間で配線負荷に関して断継ぎが存在しても問題でなくなる。各ＴＡＢブロックの配線には断継ぎを無くするという制約が無くなることによって、配線は、断継ぎを無くするための屈曲したパターン、即ち、エッチングがしにくい尖った形状の屈曲部等が存在しない直線的なパターンでよくなり、よって、配線は歩留り良く製造されるようになる。各ＴＡＢブロックの配線に断継ぎを無くするという制約が無くなることは、画素領域より外側に張り出たフレーム部を狭くした小型の構成のものにおいて特に効果があるようになる。また、各ＴＡＢブロック毎に存在するＴＡＢの位置についての制約が緩和され、液晶所表示装置は設計が容易となる。
【００１８】
請求項３の発明は、走査線側が、複数のＴＡＢブロックで分割されている液晶表示装置において、隣接するＴＡＢブロックのうち一方のＴＡＢブロックの他のＴＡＢブロック寄りの複数の配線は、共に直線で且つ幅が同じであり、長さが少しずつ異なっており、共に、他のＴＡＢブロックの複数の配線のうち前記一方のＴＡＢブロック寄りの配線よりも短い長さであり、前記一方のＴＡＢブロックの他のＴＡＢブロック寄りの複数の配線については、固定の電位に接続されている三角形状の電極パターンが、間に絶縁膜を介して形成されており、各配線についての信号の波形のなまりの程度が、前記他のＴＡＢブロックの複数の配線のうち前記一方のＴＡＢブロック寄りの配線を伝送される信号の波形のなまり程度と同じになるように、所定の静電容量が配線負荷として付加してある構成としたものである。
【００１９】
静電容量が隣接するＴＡＢブロックのうち一方のＴＡＢブロックの他のＴＡＢブロック寄りの複数の配線について形成してあるため、画素領域の隣り合うブロックの境界付近について輝度の変化が少しづつとなる。
請求項４の発明は、電極パターンは、該表示装置を構成する要素を形成するのと同時に形成されたものである構成としたものである。
【００２０】
電極パターンは、液晶表示装置を構成する要素を形成するのと同時に形成されたものである構成であるため、電極パターンを形成するためだけのフォトリソ工程は不要であり、工程の追加は無用となる。
【００２１】
【発明の実施の形態】
図４は本発明の一実施例になるアクティブマトリクス型の液晶表示装置１０Ｂを概略的に示す。図５は図４中、円１０１で囲んだ部分のゲート引出し線を拡大して示す。図６は図５中、VI-VI 線に沿う拡大断面図である。図４乃至図６中、図１及び図２に示す構成部分には添字「Ｂ」を付した同一符号を付す。
【００２２】
液晶表示装置１０Ｂは、大略、下側ガラス板１１Ｂと、これに重なっている上側ガラス板１２Ｂと、左端（Ｘ２方向端）に沿って並んでいる第１乃至第４の走査用駆動ＩＣチップ１３Ｂ−１〜１３Ｂ−４と、上端（Ｙ１方向端）に沿って並んでいる複数の信号用駆動ＩＣチップ１４とよりなる。第１乃至第４の走査用駆動ＩＣチップ１３Ｂ−１〜１３Ｂ−４は夫々第１乃至第４のＴＡＢ１５Ｂ−１〜１５Ｂ−４の中央に実装してある。信号用駆動ＩＣチップ１４ＢはＴＡＢ１６Ｂの中央に実装してある。下側ガラス板１１Ｂ上には、走査線２０Ｂと信号線２１Ｂとが交差して形成してある。走査線２０ＢはＸ１，Ｘ２方向に延在しており、Ｙ１、Ｙ２方向に並んでいる。信号線２１ＢはＹ１、Ｙ２方向に延在しており、Ｘ１、Ｘ２方向に並んでいる。隣合う走査線２０Ｂと隣合う信号線２１Ｂとで囲まれた部分が一つの画素２２Ｂを形成し、各画素２２Ｂ毎にトランジスタ２３Ｂが作り込まれている。２５Ｂは画素領域であり、多数の画素２２Ｂがマトリクス状に並んでいる。
【００２３】
１１Ｂａはフレーム部であり、下側ガラス板１１Ｂのうち画素領域２５Ｂより外側の部分であり、図１中、液晶表示装置１０Ｂの左端（Ｘ２方向端である走査側）に沿う走査線側フレーム部１１Ｂａ１と、液晶表示装置１０Ｂの上端（Ｙ１方向端である信号側）に沿う信号線側フレーム部１１Ｂａ２とよりなり、逆Ｌ字形状を有している。
【００２４】
走査線側フレーム部１１Ｂａ１について見ると、左端側にＴＡＢ１５Ｂ−１〜１５Ｂ−４の一端側が実装されるＴＡＢ実装領域３０Ｂを有し、ＴＡＢ実装領域３０Ｂと画素領域２５Ｂとの間にゲート引出し線形成領域３１Ｂを有する。ＴＡＢ実装領域３０Ｂには、第１乃至第４の端子群部３２Ｂ−１，３２Ｂ−２（他は図示せず）が間隔をおいて形成してあり、ゲート引出し線形成領域３１Ｂには、各端子群部３２Ｂ−１，３２Ｂ−２（他は図示せず）の各端子３３Ｂとこれに対応する走査線２０Ｂとを結ぶゲート引出し線３４Ｂが形成してある。ゲート引出し線３４Ｂが特許請求の範囲の欄記載の「配線」に対応する。
【００２５】
走査線側フレーム部１１Ｂａ１のＴＡＢ実装領域３０Ｂには、各ＴＡＢ１５Ｂ−１〜１５Ｂ−４の一端側が各端子群部３２Ｂ−１，３２Ｂ−２（他は図示せず）に接続されて実装してある。各ＴＡＢ１５Ｂの他端側は、ゲートドライバ用プリント基板３５Ｂに接続されている。ゲートドライバ用プリント基板３５Ｂの長さが下側ガラス板１１ＢのＹ１，Ｙ２方向の長さより短い理由で、並んでいる４つのＴＡＢ１５Ｂ−１〜１５−４Ｂが中央に偏っており、第１乃至第４の端子群部３２Ｂ−１，３２Ｂ−２（他は図示せず）が中央に偏って配されている。
【００２６】
信号線側フレーム部１１Ｂａ２についてみると、走査線側フレーム部１１Ｂａ１と同じく、端子群部を有し、且つ、端子群部と画素領域２５Ｂとの間に各端子とこれと対応する信号線とをむすぶゲート引出し線４０Ｂが形成してある。ＴＡＢ１６Ｂの一端側が信号線側フレーム部１１Ｂａ２の端子群部と接続してあり、他端側がプリント基板４１Ｂに接続されている。
【００２７】
液晶表示装置１０Ｂは、走査線２０Ｂの並び方向（Ｙ１，Ｙ２方向）が第１乃至第４の４つのＴＡＢブロック５０Ｂ−１〜５０Ｂ−４に分割されており、画素領域２５は４つの走査区画部５１Ｂ−１〜５１Ｂ−４に分割されている。走査用駆動ＩＣチップ１３Ｂと信号用駆動ＩＣチップ１４Ｂとが動作することによって、液晶表示装置１０は、各走査区画部５１Ｂ−１〜５１Ｂ−４毎に動作して、画素領域２５Ｂに画像が表示される。
【００２８】
ここで、走査線側フレーム部１１Ｂａ１のゲート引出し線３４Ｂについてみる。
図５を参照するに、２０Ｂ−ｎは、走査区画部５１Ｂ−１のうち走査区画部５１Ｂ−２との境界に沿う走査線である。２０Ｂ−（ｎ＋１）は、走査区画部５１Ｂ−２のうち走査区画部５１Ｂ−１との境界に沿う走査線である。３４Ｂ−（ｎ＋１）は、端子群部３２Ｂ−２のうち端子群部３２Ｂ−１側の端の端子３３Ｂ−（ｎ＋１）と走査線２０Ｂ−（ｎ＋１）とを結ぶゲート引出し線である。３４Ｂ−ｎは、端子群部３２Ｂ−１のうち端子群部３２Ｂ−２側の端の端子３３Ｂ−ｎと走査線２０Ｂ−ｎとを結ぶゲート引出し線である。ゲート引出し線３４Ｂ−ｎ及びゲート引出し線３４Ｂ−（ｎ＋１）は、第１のＴＡＢブロック５０Ｂ−１と第２のＴＡＢブロック５０Ｂ−２との間の境界に沿うゲート引出し線である。
【００２９】
ゲート引出し線３４Ｂ−ｎは、図３に示すゲート引出し線３４Ａ−ｎとは異なって、直線である。ゲート引出し線３４Ｂ−ｎよりＹ１方向側のゲート引出し線３４Ｂ−（ｎ−１），３４Ｂ−（ｎ−２）…も直線である。
よって、ゲート引出し線３４Ｂ−ｎ、３４Ｂ−（ｎ−１），３４Ｂ−（ｎ−２）等には、図３に示すような尖った形状の屈曲部が存在せず、よって、ゲート引出し線３４Ｂ−ｎ、３４Ｂ−（ｎ−１），３４Ｂ−（ｎ−２）等は正常にエッチングされて形成される。よって、パターンが形成された下側ガラス板１１Ｂは歩留り良く製造され、よって、液晶表示装置１１Ｂは歩留り良く製造される。
【００３０】
また、ゲート引出し線３４Ｂ−ｎ、３４Ｂ−（ｎ−１），３４Ｂ−（ｎ−２）…等が直線であるため、第１乃至第４のＴＡＢ１５Ｂ−１〜１５Ｂ−４の位置についての制約、及び第１乃至第４の端子群部３２Ｂ−１，３２Ｂ−２（他は図示せず）の位置についての制約が緩和され、液晶表示装置１１Ｂの設計は容易となる。
【００３１】
しかし、このまま（図７（Ｂ）に示す状態）では、以下の理由によって、走査区画部５１Ｂ−１と走査区画部５１Ｂ−２との境界の部分に輝度むらが現れる。
ゲート引出し線３４Ｂ−ｎ、３４Ｂ−（ｎ−１），３４Ｂ−（ｎ−２）…等が直線であるため、第１のＴＡＢブロック５０Ｂ−１と第２のＴＡＢブロック５０Ｂ−２との境界に沿うゲート引出し線３４Ｂ−ｎの長さＬＢｎとゲート引出し線３４Ｂ−（ｎ＋１）の長さＬＢｎ＋１との間には、ΔＬＢ（約１５ｍｍ）の差がある。各ゲート引出し線３４Ｂ−ｎ、３４Ｂ−（ｎ＋１）等は、クロム製であり、厚さが１５００Åであり、幅が１７μｍである。ゲート引出し線３４Ｂ−ｎの電気抵抗Ｒn とゲート引出し線３４Ｂ−（ｎ＋１）の電気抵抗Ｒn+1 間には、Ｒ1 ＝１．４１ｋΩの電気抵抗差がある。即ち、第１のＴＡＢブロック５０Ｂ−１と第２のＴＡＢブロック５０Ｂ−２との境界に沿うゲート引出し線３４Ｂ−ｎとゲート引出し線３４Ｂ−（ｎ＋１）とは断継ぎとなっている。
【００３２】
図７（Ｂ）に示すように、端子３３Ｂ−ｎと端子３３Ｂ−（ｎ＋１）とに矩形パルス信号２００を入力させた場合の、矩形パルス信号は線を伝わるにつれてなまる。
端子３３Ｂ−ｎに入力された矩形パルス信号２００は、最初にゲート引出し線３４Ｂ−ｎを通過し、符号２０１で示す波形となり、次いで、走査線２０Ｂ−ｎを伝わり、符号２０２で示す波形となる。
【００３３】
端子３３Ｂ−（ｎ＋１）に入力された矩形パルス信号２００は、最初にゲート引出し線３４Ｂ−（ｎ＋１）を通過し、符号２０１ａで示す波形となり、次いで、走査線２０Ｂ−（ｎ＋１）を伝わり、符号２０２ａで示す波形となる。
走査線２０Ｂ−ｎ及び走査線２０Ｂ−（ｎ＋１）の同じ位置における波形を比べてみると、走査線２０Ｂ−ｎ上の波形２０２はなまりの程度は小さいのに対して、走査線２０Ｂ−（ｎ＋１）上の波形２０２ａはなまりの程度が大きい。よって、波形２０２と波形２０２ａとの差が目立つ程大きい。よって、これが原因で、走査区画部５１Ｂ−１と走査区画部５１Ｂ−２との境界の部分に輝度むらが現れる。
【００３４】
この輝度むらは、走査線２０Ｂ−ｎ、２０Ｂ−（ｎ＋１）の電気抵抗が高い場合により起こり易い。本実施例において、各走査線２０Ｂ−ｎ、２０Ｂ−（ｎ＋１）は幅が１０μｍと狭く、よって、電気抵抗Ｒ0 は２７ｋΩと高い。よって、輝度むらは起きやすい。また、各走査線２０Ｂ−ｎ、２０Ｂ−（ｎ＋１）とこれらと対向する電極パターンとの間に成形されている静電容量Ｃ0 は１５０ｐＦである。
【００３５】
そこで、本実施例の液晶表示装置１０Ｂにおいては、第１のＴＡＢブロック５０Ｂ−１と第２のＴＡＢブロック５０Ｂ−２との境界に沿うゲート引出し線３４Ｂ−ｎとゲート引出し線３４Ｂ−（ｎ＋１）とが断継ぎとなっていることに対処するため、以下に述べる構成が追加されている。
この構成は、要約すると、走査線２０Ｂ−ｎ上の波形を、よりなまっている波形２０２ａに揃えようとするものである。
【００３６】
図４中、６０、６１は静電容量形成用電極パターンであり、夫々、第１のＴＡＢブロック５０Ｂ−１のゲート引出し線形成領域３１Ｂと第４のＴＡＢブロック５０Ｂ−４のゲート引出し線形成領域３１Ｂとに形成してある。
図５及び図６に示すように、静電容量形成用電極パターン６０は、ゲート引出し線３４Ｂ−ｎからゲート引出し線３４Ｂ−ｍにかけての領域に、ゲート引出し線３４Ｂ−ｎ〜３４Ｂ−ｍを覆うように形成してある。静電容量形成用電極パターン６０とゲート引出し線３４Ｂ−ｎ〜３４Ｂ−ｍとの間には、絶縁層６２が存在している。絶縁層６２は、厚さが４０００ÅのＳｉＮ膜である。ＳｉＮ膜は、誘電率ε＝７．０である。静電容量形成用電極パターン６０は、引出しパターン６２を経て、補助電位Ｃｓに接続してある。これによって、図７（Ａ）に示すように、ゲート引出し線３４Ｂ−ｎには、配線負荷としての静電容量Ｃ1 が付加されている。
【００３７】
静電容量形成用電極パターン６０は、長さ（Ｙ１、Ｙ２方向）が３０ｍｍであり、幅（Ｘ１，Ｘ２方向）がＹ１方向に向かって３ｍｍから０ｍｍに減少する、Ｙ１方向に向かって先細の細長い三角形状である。
ここで、Ｃ0 ：走査線２０Ｂ−ｎ（２０Ｂ−（ｎ＋１））とこれと対向する電極パターンとの間に成形されている静電容量、
Ｃ1 ：配線負荷としての静電容量、
Ｒ0 ：走査線２０Ｂ−ｎ（２０Ｂ−（ｎ＋１））の電気抵抗、
Ｒ1 ：ゲート引出し線３４Ｂ−（ｎ＋１）の電気抵抗Ｒn+1 とゲート引出し線３４Ｂ−ｎの電気抵抗Ｒn との差、とすると、
画素２２への書き込み時の電位ｅo は、
0003964546.tif 000002
で表され、
画素２２のコンデンサからの放電時の電位ｅc は、
ｅc ＝Ｅ＊exp （−ｔ／（（Ｒ0 ＋Ｒ1 ）＊（Ｃ0 ＋Ｃ1 ））
で表される。
【００３８】
静電容量Ｃ1 は、（Ｒ0 ＋Ｒ1 ）＊（Ｃ0 ＋Ｃ1 ）が一定となるように定めてある。具体的には、静電容量Ｃ1 は、７．８ｐＦである。
上記の静電容量Ｃ1 が付加されたことによって、図７（Ａ）に示すように、端子３３Ｂ−ｎに入力された矩形パルス信号２００は、ゲート引出し線３４Ｂ−ｎを通過した時点で、符号２０１Ｂａで示すようになまった波形となる。この波形２０１Ｂａは、端子３３Ｂ−（ｎ＋１）に入力された矩形パルス２００がゲート引出し線３４Ｂ−（ｎ＋１）を通過してなまった、符号２０１ａで示す波形と同じくなる。
【００３９】
符号２０１Ｂａで示す波形のパルス信号は、走査線２０Ｂ−ｎを伝わり、更になまって符号２０２Ｂａで示す波形となる。符号２０１ａで示す波形のパルス信号は、走査線２０Ｂ−（ｎ＋１）を伝わり、更になまって符号２０２ａで示す波形となる。走査線２０Ｂ−ｎ及び走査線２０Ｂ−（ｎ＋１）の同じ位置における波形を比べてみると、符号２０２Ｂａで示す波形は符号２０２ａで示す波形と略一致する。
【００４０】
よって、走査査線２０Ｂ−ｎ上の輝度と走査線２０Ｂ−（ｎ＋１）上の輝度とは同じくなり、走査区画部５１Ｂ−１と走査区画部５１Ｂ−２との境界の部分に輝度むらは現れない。
静電容量形成用電極パターン６０は、ゲート引出し線３４Ｂ−ｎからゲート引出し線３４Ｂ−ｍにかけての領域に設けてあり、Ｙ１方向に向かって先細の細長い三角形状である。よって、静電容量Ｃ1 は、ゲート引出し線３４Ｂ−ｎの隣のゲート引出し線３４Ｂ−（ｎ−１），３４Ｂ−（ｎ−２）…にも、形成され、静電容量Ｃ1 の値は、順次小さくなっている。よって、走査線２０Ｂ−（ｎ−１）上の波形は走査線２０Ｂ−ｎ上の波形に略一致したものとなり、走査線２０Ｂ−（ｎ−２）上の波形は走査線２０Ｂ−（ｎ−１）上の波形に略一致したものとなる。走査線２０Ｂ−（ｎ−３）以降走査線２０Ｂ−ｍまでの各走査線についても、走査線上の波形は一つＹ２方向側の走査線上の波形と略一致する。
【００４１】
よって、走査区画部５１Ｂ−１のうち走査区画部５１Ｂ−２との境界に近い部分についても輝度むらは現れない。
同じく、静電容量形成用電極パターン６１を設けたことによって、走査区画部５１Ｂ−４のうち走査区画部５１Ｂ−３との境界の部分及び境界に近い部分にも輝度むらは現れない。
【００４２】
よって、液晶表示装置１０Ｂは良好は品質の画像を表示することが出来る。
なお、静電容量Ｃ1 は、ゲート引出し線３４Ｂ−ｎ自体を利用して形成したものであるため、静電容量Ｃ1 は、静電容量形成用電極パターン６０を設けるだけで簡単に形成されている。
なお、上記の静電容量形成用電極パターン６０、６１は、下側ガラス板１１Ｂ上に、信号線２１Ｂを形成するフォトリソ工程において、信号線２１Ｂを形成すると同時に形成される。よって、静電容量形成用電極パターン６０、６１を形成するためだけのフォトリソ工程は不要であり、工程の追加は無く、よって、液晶表示装置１０Ｂは従来に比べて製造コストを上げずに製造出来る。
【００４３】
また、ゲート引出し線３４Ｂ−ｎに静電容量Ｃ1 を付加する代わりに、ゲート引出し線３４Ｂ−ｎに電気抵抗を付加してもよい。静電容量及び電気抵抗を総称して、「配線負荷」と定義する。
なお、静電容量形成用電極パターン６０、６１を、下側ガラス板１１Ｂ上に、信号線２１Ｂ以外の要素、例えば、対向電極、又は、画素電極を形成するフォトリソ工程において形成されるようにしてもよい。
【００４４】
また、本発明は、隣り合うＴＡＢブロックの境界に沿うゲート引出し線が断継ぎとなっている場合に適用されるものであり、ゲート引出し線３４Ｂ−ｎは直線に限らない。
また、静電容量形成用電極パターン６０は、補助電位Ｃｓに代えて、コモン電位、又はグランド電位に接続してもよい。
【００４５】
また、走査線側が複数のＩＣブロックに分割されている構成のものにも適用可能である。
また、本発明を必要に応じて信号線側に適用することも出来る。
また、本発明は、信号線と走査線とを有する表示装置に適用され、液晶表示装置に限らず、プラズマ表示装置にも適用可能である。また、液晶表示装置にあっては、アクティブマトリクス型に限らない。
【００４６】
また、本発明を必要に応じて信号線側に適用することも出来る。
【００４７】
【発明の効果】
以上説明したように、請求項１の発明によれば、走査線側が、複数のブロックで分割されている表示装置において、隣接するブロックの境界に沿う隣り合う各配線は、共に直線で且つ幅が同じであり、該隣り合う配線のうちの長さの短い方の配線については、固定の電位に接続された電極パターンが、間に絶縁膜を介して形成されており、信号の波形のなまりの程度が長さが長い方配線を伝送される信号の波形のなまり程度と同じになるように、所定の静電容量が配線負荷として付加してある構成としたものであり、隣り合う配線のうちの一方の配線について配線負荷を付加した構成としたことによって、各ブロックの配線が、隣接するブロックの境界に沿う隣り合う配線間で配線負荷に関して断継ぎがなくなるようにする必要がなく、よって、配線は、断継ぎを無くするようなパターン、即ち、エッチングがしにくい尖った形状の屈曲部等を有するパターンにする必要は無く、直線のパターンでよく、よって、配線は歩留り良く製造され、よって、表示装置を歩留り良く製造することが出来る。また、各ブロック毎に存在するＴＡＢ等の位置についての制約が緩和され、設計が容易である表示装置を実現出来る。
【００４８】
また、隣り合う各配線上の信号の波形のなまりが同じになるように、隣り合う配線のうちの一方の配線について配線負荷を付加した構成としたため、画素領域の隣り合うブロックの境界の部分に輝度むらが現れないように出来、よって、良好な品質の画像を表示することが出来る表示装置を実現出来る。
また、断継ぎを無くするという配線の条件が無くなったことによって、画素領域より外側に張り出たフレーム部を狭くした小型の構成の表示装置に適用されて、特に効果を発揮することが出来る。
【００４９】
また、静電容量を隣り合う配線のうちの一方である長さの短い方の配線自体に容量を形成したものであるため、静電容量を簡単に形成出来る。
請求項２の発明は、隣り合う配線のうちの長さが短い方の配線について静電容量を付加した構成としたことによって、各ＴＡＢブロックの配線が、隣接するＴＡＢブロックの境界に沿う隣り合う配線間で配線負荷に関して断継ぎがなくなるようにする必要がなく、よって、配線は、断継ぎを無くするようなパターン、即ち、エッチングがしにくい尖った形状の屈曲部等を有するパターンにする必要は無く、直線のパターンでよく、よって、配線は歩留り良く製造され、よって、液晶表示装置を歩留り良く製造することが出来る。また、各ブロック毎に存在するＴＡＢ等の位置についての制約が緩和され、設計が容易である液晶表示装置を実現出来る。
【００５０】
また、隣り合う各配線上の信号の波形のなまりが同じになるように、隣り合う配線のうちの長さの短い方の配線について静電容量を付加した構成としたため、画素領域の隣り合うブロックの境界の部分に輝度むらが現れないように出来、よって、良好な品質の画像を表示することが出来る液晶表示装置を実現出来る。
また、断継ぎを無くするという配線の条件が無くなったことによって、画素領域より外側に張り出たフレーム部を狭くした小型の構成の液晶表示装置に適用されて、特に効果を発揮することが出来る。
【００５１】
請求項３の発明は、静電容量が隣接するＴＡＢブロックのうち一方のＴＡＢブロックの他のＴＡＢブロック寄りの複数の配線について形成してあるため、画素領域の隣り合うブロックの境界付近について輝度の変化が少しづつとなり、画素領域の隣り合うブロックの境界の部分及び境界の付近の部分についても、輝度むらが現れないように出来、よって、更に良好な品質の画像を表示することが出来る液晶表示装置を実現出来る。
【００５２】
請求項４の発明は、電極パターンは、液晶表示装置を構成する要素を形成するのと同時に形成されたものである構成であるため、電極パターンを形成するためだけのフォトリソ工程は不要であり、工程の追加は無く、よって、液晶表示装置は従来に比べて製造コストを上げることなく製造出来る。
【図面の簡単な説明】
【図１】従来の液晶表示装置の１例を示す図である。
【図２】図１中、ゲート引出し線の一部を拡大して示す図である。
【図３】フレーム部の幅を狭くして液晶表示装置を小型化した場合の問題点を説明する図である。
【図４】本発明の一実施例になる液晶表示装置を示す図である。
【図５】図４中、ゲート引出し線の一部を拡大して示す図である。
【図６】図５中、VI-VI 線に沿う拡大断面図である。
【図７】パルス信号波形のなまりを説明する図である。
【符号の説明】
１０Ｂ  液晶表示装置
１１Ｂａ１  走査線側フレーム部
１５Ｂ−１〜１５Ｂ−４  第１乃至第４のＴＡＢ
２０Ｂ  走査線
２１Ｂ  信号線
２２Ｂ  画素
２５  画素領域
３１Ｂ  ゲート引出し線形成領域
３４Ｂ−ｎ，３４Ｂ−（ｎ＋１）  ゲート引出し線（配線）
５０Ｂ−１〜５０Ｂ−４  第１乃至第４のＴＡＢブロック
５１Ｂ−１〜５１Ｂ−４  走査区画部
６０  静電容量形成用電極パターン
６２  絶縁層
Ｃ1   静電容量
【図１】
0003964546.tif 000003
【図２】
0003964546.tif 000004
【図３】
0003964546.tif 000005
【図４】
0003964546.tif 000006
【図５】
0003964546.tif 000007
【図６】
0003964546.tif 000008
【図７】
0003964546.tif 000009